(57)【要約】  ショーケース及び冷蔵庫、冷凍庫の電流値と、売り場・温度エンタルピー、外気温度の環境変化に対応させて、これらを省エネルギーで運転制御するシステム。  ショーケース、冷蔵庫、冷凍庫にそれぞれ配備されている冷凍機を流れる電流値を１分間隔で検知し、当該検知した電流値の連続した３０分間における平均電流値を算出して前記冷凍機の稼働率を求め、あらかじめ定められている冷凍機稼働率よりも所定の値以上に大きな場合であって、前記冷凍機が配備されている前記ショーケース等の中の温度があらかじめ定められている温度範囲を越えているときに、前記冷凍機が配備されている前記ショーケース等に配備されている電磁弁の開閉を開状態に制御するショーケース及び冷蔵・冷凍装置の省エネルギーシステム。
2013061459.tif 000002
【特許請求の範囲】
【請求項１】
ショーケース、冷蔵庫及び、冷凍庫において一日２４時間の間にあらかじめ定められている間隔で霜取処理が実行され、当該霜取り処理の間、前記ショーケース、冷蔵庫及び冷凍庫にそれぞれ配備されている電磁弁の開閉が閉状態に制御されて、前記ショーケース、冷蔵庫及び冷凍庫にそれぞれ配備されている冷凍機から前記ショーケース、冷蔵庫及び、冷凍庫への冷媒管を介した冷媒液の送液が制御されるショーケース及び冷蔵・冷凍装置の省エネルギーシステムであって
前記ショーケース、冷蔵庫及び、冷凍庫の中の温度を検知する第一の温度検知手段と、
前記ショーケース、冷蔵庫及び、冷凍庫にそれぞれ配備されている前記冷凍機を流れる電流値を１分間隔で検知し、当該検知した電流値の連続した３０分間における平均電流値を算出する平均電流値算出手段と、
前記平均電流値算出手段によって算出した平均電流値を、前記平均電流値を算出した前記冷凍機の定格電流値で除算して冷凍機稼働率を算出する冷凍機稼働率算出手段と、
前記冷凍機稼働率算出手段で算出した冷凍機稼働率と、前記平均電流値を算出した前記冷凍機について季節ごと及び稼働時間帯ごとにあらかじめ定められている冷凍機稼働率との多寡を比較判定する稼働率判定手段と、
前記稼働率判定手段での比較判定の結果、前記冷凍機稼働率算出手段で算出した冷凍機稼働率が、あらかじめ定められている冷凍機稼働率よりも所定の値以上に大きなときに、前記第一の温度感知手段で検知された、前記平均電流値を算出した前記冷凍機が配備されている前記ショーケース、冷蔵庫、あるいは、冷凍庫の中の温度が、あらかじめ定められている温度範囲内にあるかどうかを判定する温度判定手段と、
前記温度判定手段での判定の結果、前記あらかじめ定められている温度範囲内でないと判定されたときに、前記平均電流値を算出した前記冷凍機が配備されている前記ショーケース、冷蔵庫、あるいは、冷凍庫に配備されている電磁弁の開閉を開状態に制御し、前記冷凍機から前記ショーケース、冷蔵庫、あるいは、冷凍庫への冷媒管を介した冷媒液の送液を制御する電磁弁制御手段と
を備えていることを特徴とするショーケース及び冷蔵・冷凍装置の省エネルギーシステム。
【請求項２】
前記ショーケースが設置されている売り場の温度を検知する第二の温度検知手段と、
前記ショーケースが設置されている売り場の湿度を検知する湿度検知手段と、
前記第二の温度検知手段で検知された温度及び、前記湿度検知手段で検知された湿度に基づいて前記ショーケースが設置されている売り場のエンタルピーを計算する売り場エンタルピー算出手段と、
前記売り場エンタルピー算出手段で算出された売り場エンタルピーが季節ごと及び稼働時間帯ごとにあらかじめ定められている所定の設定エンタルピー範囲内にあるかどうかを判定するエンタルピー判定手段と、
前記エンタルピー判定手段での判定の結果、前記売り場エンタルピー算出手段で算出した売り場エンタルピーが前記所定の設定エンタルピー範囲内でないと判定されたときに、前記売り場エンタルピー算出手段で算出される売り場エンタルピーが前記所定の設定エンタルピー範囲内になるまで、前記ショーケースが設置されている売り場に配備されている空調設備の稼働状態を制御する空調設備制御手段と
を更に備えていることを特徴とする請求項１記載のショーケース及び冷蔵・冷凍装置の省エネルギーシステム。
【請求項３】
前記冷蔵庫及び冷凍庫が配置されている環境雰囲気の温度を検知する第三の温度検知手段と、
前記稼働率判定手段が前記比較判定を行う際の、前記平均電流値を算出した前記冷凍機が配備されているものが前記冷蔵庫又は冷凍庫である時に、前記冷凍機稼働率算出手段で算出した冷凍機稼働率との比較判定に用いる前記あらかじめ定められている冷凍機稼働率を、前記第三の温度検知手段で検知した温度に対応させてあらかじめ定められている外気温対応冷凍機稼働率に変更する処理を行う外気温度対応制御手段と
を更に備えていることを特徴とする請求項１又は２記載のショーケース及び冷蔵・冷凍装置の省エネルギーシステム。
【発明の詳細な説明】
【技術分野】
【０００１】
この発明は、建造物に配備されているショーケース、冷蔵庫、冷凍庫の運転を省エネルギー制御プログラムを用いているコンピュータによって制御し、より少ないエネルギー消費で（すなわち、省エネルギーで）、より効率よく前記ショーケース、冷蔵庫、冷凍庫を運転・制御する省エネルギー制御システムに関する。
【背景技術】
【０００２】
省エネルギー制御プログラムを用いるコンピュータの下で、建造物に配備されている複数のエネルギー消費機器の運転を制御し、より少ないエネルギー消費で（すなわち、省エネルギーで）、より効率よく前記複数のエネルギー消費機器を運転・制御する省エネルギー制御システムに関しては従来から種々の提案が行われている。また、そのような省エネルギー制御システムの省エネルギー効果を評価する方法、システムに関しても種々の提案が行われている（例えば、特許文献１、２、３）。
【先行技術文献】
【特許文献】
【０００３】
【特許文献１】特開２０００−３２９８０５号公報
【特許文献２】特開２００３−５０６２６号公報
【特許文献３】特開２００５−１４１４０３号公報
【発明の概要】
【発明が解決しようとする課題】
【０００４】
前述した従来の省エネルギー制御システムによれば、目的とした消費エネルギーの低減や、エネルギー消費に要する費用などの低減を達成でき、また、省エネルギー効果の評価を行うことが可能であるとされている。【０００５】
しかし、ショーケース、冷蔵庫、冷凍庫の電流値と売り場・温度エンタルピー、外気温度の環境変化に対応させて、これらを省エネルギーで運転制御するシステムに関しては更に改善を行う余地があった。【０００６】
本願発明は、ショーケース及び冷蔵庫、冷凍庫の電流値と、売り場・温度エンタルピー、外気温度の環境変化に対応させて、これらを省エネルギーで運転制御するシステムを提案することを目的にしている。
【課題を解決するための手段】
【０００７】
請求項１記載の発明は、
ショーケース、冷蔵庫及び、冷凍庫において一日２４時間の間にあらかじめ定められている間隔で霜取処理が実行され、当該霜取り処理の間、前記ショーケース、冷蔵庫及び冷凍庫にそれぞれ配備されている電磁弁の開閉が閉状態に制御されて、前記ショーケース、冷蔵庫及び冷凍庫にそれぞれ配備されている冷凍機から前記ショーケース、冷蔵庫及び、冷凍庫への冷媒管を介した冷媒液の送液が制御されるショーケース及び冷蔵・冷凍装置の省エネルギーシステムであって
前記ショーケース、冷蔵庫及び、冷凍庫の中の温度を検知する第一の温度検知手段と、
前記ショーケース、冷蔵庫及び、冷凍庫にそれぞれ配備されている前記冷凍機を流れる電流値を１分間隔で検知し、当該検知した電流値の連続した３０分間における平均電流値を算出する平均電流値算出手段と、
前記平均電流値算出手段によって算出した平均電流値を、前記平均電流値を算出した前記冷凍機の定格電流値で除算して冷凍機稼働率を算出する冷凍機稼働率算出手段と、
前記冷凍機稼働率算出手段で算出した冷凍機稼働率と、前記平均電流値を算出した前記冷凍機について季節ごと及び稼働時間帯ごとにあらかじめ定められている冷凍機稼働率との多寡を比較判定する稼働率判定手段と、
前記稼働率判定手段での比較判定の結果、前記冷凍機稼働率算出手段で算出した冷凍機稼働率が、あらかじめ定められている冷凍機稼働率よりも所定の値以上に大きなときに、前記第一の温度感知手段で検知された、前記平均電流値を算出した前記冷凍機が配備されている前記ショーケース、冷蔵庫、あるいは、冷凍庫の中の温度が、あらかじめ定められている温度範囲内にあるかどうかを判定する温度判定手段と、
前記温度判定手段での判定の結果、前記あらかじめ定められている温度範囲内でないと判定されたときに、前記平均電流値を算出した前記冷凍機が配備されている前記ショーケース、冷蔵庫、あるいは、冷凍庫に配備されている電磁弁の開閉を開状態に制御し、前記冷凍機から前記ショーケース、冷蔵庫、あるいは、冷凍庫への冷媒管を介した冷媒液の送液を制御する電磁弁制御手段と
を備えていることを特徴とするショーケース及び冷蔵・冷凍装置の省エネルギーシステム
である。【０００８】
請求項２記載の発明は、
前記ショーケースが設置されている売り場の温度を検知する第二の温度検知手段と、
前記ショーケースが設置されている売り場の湿度を検知する湿度検知手段と、
前記第二の温度検知手段で検知された温度及び、前記湿度検知手段で検知された湿度に基づいて前記ショーケースが設置されている売り場のエンタルピーを計算する売り場エンタルピー算出手段と、
前記売り場エンタルピー算出手段で算出された売り場エンタルピーが季節ごと及び稼働時間帯ごとにあらかじめ定められている所定の設定エンタルピー範囲内にあるかどうかを判定するエンタルピー判定手段と、
前記エンタルピー判定手段での判定の結果、前記売り場エンタルピー算出手段で算出した売り場エンタルピーが前記所定の設定エンタルピー範囲内でないと判定されたときに、前記売り場エンタルピー算出手段で算出される売り場エンタルピーが前記所定の設定エンタルピー範囲内になるまで、前記ショーケースが設置されている売り場に配備されている空調設備の稼働状態を制御する空調設備制御手段と
を更に備えていることを特徴とする請求項１記載のショーケース及び冷蔵・冷凍装置の省エネルギーシステム
である。【０００９】
請求項３記載の発明は、
前記冷蔵庫及び冷凍庫が配置されている環境雰囲気の温度を検知する第三の温度検知手段と、
前記稼働率判定手段が前記比較判定を行う際の、前記平均電流値を算出した前記冷凍機が配備されているものが前記冷蔵庫又は冷凍庫である時に、前記冷凍機稼働率算出手段で算出した冷凍機稼働率との比較判定に用いる前記あらかじめ定められている冷凍機稼働率を、前記第三の温度検知手段で検知した温度に対応させてあらかじめ定められている外気温対応冷凍機稼働率に変更する処理を行う外気温度対応制御手段と
を更に備えていることを特徴とする請求項１又は２記載のショーケース及び冷蔵・冷凍装置の省エネルギーシステム
である。
【発明の効果】
【００１０】
この発明によれば、ショーケース及び冷蔵庫、冷凍庫の電流値と売り場・温度エンタルピー、外気温度の環境変化に対応させて、これらを省エネルギーで運転制御するシステムを提供することができる。
【図面の簡単な説明】
【００１１】
【図１】本発明のショーケース及び冷蔵・冷凍装置の省エネルギーシステムの概略構成を説明する概念図。
【図２】本発明のショーケース及び冷蔵・冷凍装置の省エネルギーシステムの概略構成を説明する他の概念図
【図３】（ａ）、（ｂ）は、本発明のシステムによってショーケース、冷蔵庫、冷凍庫の省エネ運転制御を行う際の基本工程を表すフロー図。
【図４】本発明のシステムによってショーケース、冷蔵庫、冷凍庫の省エネ運転制御を行うフロー図。
【図５】本発明のシステムによってショーケース、冷蔵庫、冷凍庫の省エネ運転制御を行う他のフロー図。
【発明を実施するための形態】
【００１２】
ショーケース、冷蔵庫、冷凍庫は、冷却するために霜が付着して冷却能力が低下することを考慮し、一日２４時間の間に、あらかじめ定められている間隔で霜取処理が実行される。例えば、一日２４時間の間に３〜８回程度の霜取処理が実行される。霜取りに要する時間は水切りまで含んで１５分間〜４５分間に設定されているのが一般的である。
【００１３】
霜取り処理の間は、ショーケース、冷蔵庫、冷凍庫にそれぞれ配備されている冷凍機が停止し、ショーケースなどに配備されている電気ヒーターかオフサイクルが稼働して霜を溶かして水切りする。そのため、ショーケースなどの中の温度は上昇し、霜取り・水切りが完了すると前記の冷凍機が稼働してショーケースなどの中に格納されている商品などの冷却が行われる。
【００１４】
このような、ショーケース、冷蔵庫及び、冷凍庫において一日２４時間の間にあらかじめ定められている間隔で霜取処理が実行され、当該霜取り処理の間、前記ショーケース等にそれぞれ配備されている電磁弁の開閉が閉状態に制御されて、前記ショーケース等にそれぞれ配備されている冷凍機から前記ショーケース等への冷媒管を介した冷媒液の送液が制御されるショーケース及び冷蔵・冷凍装置の省エネルギーシステムは、例えば、図３（ａ）、図３（ｂ）に図示されているようにして行われる。
【００１５】
図３（ａ）図示の場合、まず、ショーケースなどにおいて霜取り処理が開始されたことを通知する霜取処理開始信号を電磁弁制御手段が取得する（Ｓ３０１）。そして、これに応じて、電磁弁制御手段が、ショーケースなどに配備されている電磁弁の開閉を閉状態に制御し、当該ショーケースなどに配備されている冷凍機から当該ショーケースなどへの冷媒管を介した冷媒液の送液を制御（停止）する（Ｓ３０２）。電磁弁制御手段は、霜取り処理開始後の時間を把握し、あらかじめ定められている時間を経過したか否か判定する（Ｓ３０３）。所定の時間が経過した場合には、前記電磁弁の開閉を開状態に制御し、前記ショーケースなどに配備されている冷凍機から前記ショーケースなどへの冷媒管を介した冷媒液の送液を制御（開始）する（Ｓ３０４）。
【００１６】
一方、図３（ｂ）図示の場合は、電磁弁制御手段が、霜取り処理開始後、前記ショーケースなどの中の温度を検知していて、前記ショーケースなどの中の温度があらかじめ定められている所定の温度を越えたか否かを判定する（Ｓ３０５）。所定の温度を越えた場合には、前記電磁弁の開閉を開状態に制御し、前記ショーケースなどに配備されている冷凍機から前記ショーケースなどへの冷媒管を介した冷媒液の送液を制御（開始）する（Ｓ３０６）。
【００１７】
また、図３（ａ）、（ｂ）に例示した制御方法を組み合わせて制御していることもある。
【００１８】
ショーケース、冷蔵庫、冷凍庫などを備えている店舗などの商業施設において、前記のショーケースなどに配備されている冷凍機が使用する電力量は当該店舗などにおける使用電力量の３８〜５０％にも上ることがある。そこで、ショーケース、冷蔵庫、冷凍庫などに配備されている冷凍機が使用する電力量を削減する経済的意義は非常に高い。また、これは、ＣＯ２削減、等の環境問題の観点からも非常に重要になっている。
【００１９】
ショーケース、冷蔵庫、冷凍庫などは、そこに収容されている商品に応じて許容される温度帯（あらかじめ定められている所定の温度帯）が相違している。前記の商品としては、鮮魚、精肉、青果、冷凍食品や、製造後の販売可能期間が比較的短く、毎日のように発注され、毎日納品される商品である日配品などが例示される。
【００２０】
そして、ショーケース等を備えている店舗などの商業施設が営業している営業時間や、営業していない夜間などのような一日における時間帯や、夏、冬などの季節の変化に応じた売り場や周辺環境の温度の変動により、前述した許容温度帯（あらかじめ定められている所定の温度帯）にショーケースなどの内部の温度を維持することに要する負荷が変動する。
【００２１】
本発明のショーケース及び冷蔵・冷凍装置の省エネルギーシステムは、このような問題に対応できるものである。
【００２２】
本発明は、図３（ａ）、（ｂ）を用いて説明した上述の制御が行われるショーケース及び冷蔵・冷凍装置の省エネルギーシステムである。
【００２３】
本発明のショーケース及び冷蔵・冷凍装置の省エネルギーシステム１は、コンピュータが所定のコンピュータプログラムによって制御されることにより実行される。
【００２４】
かかる本発明のショーケース及び冷蔵・冷凍装置の省エネルギーシステム１は、図１、図２に概略構成を示したように、以下に説明する第一の温度検知手段５ａ、５ｂ、５ｃ、第二の温度検知手段１０、湿度検知手段１１、第三の温度検知手段１３と、平均電流値算出手段２１、冷凍機稼働率算出手段２２、稼働率判定手段２３、温度判定手段２４、電磁弁制御手段２５、売り場エンタルピー算出手段２６、エンタルピー判定手段２７、空調設備制御手段２８、外気温度対応制御手段２９とを備えている。
【００２５】
平均電流値算出手段２１〜外気温度対応制御手段２９は、コンピュータからなる本発明のショーケース及び冷蔵・冷凍装置の省エネルギーシステム１が、データベース３０などに格納されている所定のコンピュータプログラムによって制御されることにより実行されるものである。
【００２６】
第一の温度検知手段５ａ、５ｂ、５ｃ〜第三の温度検知手段１３は、所定の場所における温度や湿度を、継続して、あるいは、所定の時間ごとに検知するものであり、これによって検知された情報が、ショーケース及び冷蔵・冷凍装置の省エネルギーシステム１による制御に用いられる。
【００２７】
第一の温度検知手段５ａ、５ｂ、５ｃは、ショーケース２、冷蔵庫３及び、冷凍庫４にそれぞれ配備されていて、ショーケース２、冷蔵庫３及び、冷凍庫４の中の温度を検知する。
【００２８】
平均電流値算出手段２１は、ショーケース２、冷蔵庫３及び、冷凍庫４にそれぞれ配備されている冷凍機８ａ、８ｂ、８ｃを流れる電流値を１分間隔で検知し、当該検知した電流値の連続した３０分間における平均電流値を算出する。
【００２９】
冷凍機稼働率算出手段２２は、平均電流値算出手段２１によって算出した平均電流値を、前記平均電流値を算出した冷凍機８ａ、８ｂ、８ｃの定格電流値で除算して冷凍機稼働率を算出する処理を行う。
【００３０】
稼働率判定手段２３は、冷凍機稼働率算出手段２２で算出した冷凍機稼働率と、前記平均電流値を算出した冷凍機８ａ、８ｂ、８ｃについて季節ごと及び稼働時間帯ごとにあらかじめ定められている冷凍機稼働率との多寡を比較判定する処理を行う。
【００３１】
温度判定手段２４は、稼働率判定手段２３での比較判定の結果、冷凍機稼働率算出手段２２で算出した冷凍機稼働率が、あらかじめ定められている冷凍機稼働率よりも所定の値以上に大きなときに、第一の温度感知手段５ａ、５ｂ、５ｃで検知された、前記平均電流値を算出した冷凍機８ａ、８ｂ、８ｃが配備されている前記ショーケース２、冷蔵庫３、あるいは、冷凍庫４の中の温度が、あらかじめ定められている温度範囲内にあるかどうかを判定する処理を行う。
【００３２】
電磁弁制御手段２５は、温度判定手段２４での判定の結果、前記あらかじめ定められている温度範囲内でないと判定されたときに、前記平均電流値を算出した冷凍機８ａ、８ｂ、８ｃが配備されているショーケース２、冷蔵庫３、あるいは、冷凍庫４に配備されている電磁弁６ａ、６ｂ、６ｃの開閉を開状態に制御し、冷凍機８ａ、８ｂ、８ｃからショーケース２、冷蔵庫３、あるいは、冷凍庫４への冷媒管７ａ、７ｂ、７ｃを介した冷媒液の送液を制御する。
【００３３】
第二の温度検知手段１０及び、湿度検知手段１１は、それぞれ、ショーケース２が設置されている売り場９の温度及び、湿度を検知する。
【００３４】
売り場エンタルピー算出手段２６は、第二の温度検知手段１０で検知された温度及び、湿度検知手段１１で検知された湿度に基づいてショーケース２が設置されている売り場９のエンタルピーを計算する。
【００３５】
エンタルピー判定手段２７は、売り場エンタルピー算出手段２６で算出された売り場エンタルピーが季節ごと及び稼働時間帯ごとにあらかじめ定められている所定の設定エンタルピー範囲内にあるかどうかを判定する処理を行う。
【００３６】
空調設備制御手段２８は、エンタルピー判定手段２７での判定の結果、売り場エンタルピー算出手段２６で算出した売り場エンタルピーが前記所定の設定エンタルピー範囲内でないと判定されたときに、売り場エンタルピー算出手段２６で算出される売り場エンタルピーが前記所定の設定エンタルピー範囲内になるまで、ショーケース２が設置されている売り場９に配備されている空調設備１２の稼働状態を制御する。
【００３７】
第三の温度検知手段１３は、冷蔵庫３及び冷凍庫４が配置されている環境雰囲気の温度を検知する。
【００３８】
外気温度対応制御手段２９は、稼働率判定手段２３が前記比較判定を行う際の、前記平均電流値を算出した冷凍機８ｂ、８ｃが配備されているものが冷蔵庫３又は冷凍庫４である時に、冷凍機稼働率算出手段２２で算出した冷凍機稼働率との比較判定に用いる前記あらかじめ定められている冷凍機稼働率を、第三の温度検知手段１３で検知した温度に対応させてあらかじめ定められている外気温対応冷凍機稼働率に変更する処理を行う。
【００３９】
図１、図２では、ショーケース２、冷蔵庫３、冷凍庫４は単数のものとして表されているが、冷凍機８ａ、８ｂ、８ｃにそれぞれ複数のショーケース２、冷蔵庫３、冷凍庫４が接続されている構成にすることもできる。
【００４０】
また、図１では、第三の温度検知手段１３は冷蔵庫３、冷凍庫４に共通すするものとして表されているが、冷蔵庫３が配置されている環境雰囲気の温度を検知する第三の温度検知手段１３と、冷凍庫４が配置されている環境雰囲気の温度を検知する第三の温度検知手段１３とがそれぞれ別個に配備されている構成にすることもできる。
【００４１】
以下、本発明のショーケース及び冷蔵・冷凍装置の省エネルギーシステム１による、ショーケース及び冷蔵・冷凍装置の省エネルギー制御方法を説明する。
【００４２】
平均電流値算出手段２１が、ショーケース２、冷蔵庫３及び、冷凍庫４にそれぞれ配備されている冷凍機８ａ、８ｂ、８ｃを流れる電流値を１分間隔で検知し、当該検知した電流値の連続した３０分間における平均電流値を算出する（Ｓ４０１）。算出された平均電流値は、平均電流値を算出した冷凍機８ａ等を特定する情報及び、平均電流値を算出した時間に関連付けてデータベース３０に格納される。
【００４３】
連続した３０分間における平均電流値を算出することにしたのは、電力料金の計算に３０分間における累積電力使用量（ｋｗ）が使用されることを考慮したものである。
【００４４】
次に、冷凍機稼働率算出手段２２が、平均電流値算出手段２１によって算出した平均電流値を、前記平均電流値を算出した冷凍機８ａ、８ｂ、８ｃの定格電流値で除算して冷凍機稼働率を算出する（Ｓ４０２）。算出された冷凍機稼働率も、冷凍機稼働率を算出した冷凍機８ａ等を特定する情報及び、前記の平均電流値を算出した時間に関連付けてデータベース３０に格納される。
【００４５】
次に、稼働率判定手段２３が、冷凍機稼働率算出手段２２で算出した冷凍機稼働率と、前記平均電流値を算出した冷凍機８ａ、８ｂ、８ｃについて季節ごと及び稼働時間帯ごとにあらかじめ定められている冷凍機稼働率との多寡を比較判定する（Ｓ４０３）。
【００４６】
前述したように、ショーケース２、冷蔵庫３、冷凍庫４などは、そこに収容されている商品（例えば、鮮魚、精肉、青果、冷凍食品、日配品）に応じて許容される温度帯（あらかじめ定められている所定の温度範囲）が相違している。そして、ショーケース２等にそれぞれ配備されている冷凍機８ａ、８ｂ、８ｃに対して、ショーケース２等を当該所定の温度範囲に維持するために要求される負荷は、ショーケース２等を備えている店舗などの商業施設が営業している営業時間や、営業していない夜間などのような一日における時間帯や、夏、冬などの季節の変化に応じた売り場や周辺環境の温度の変動により変動する。
【００４７】
そこで、平均電流値を算出した冷凍機８ａ等ごとに、すなわち、ショーケース２等の中のいずれに対して配備されている冷凍機であるかに応じて、また、季節ごと及び、稼働時間帯ごとに応じてあらかじめ定められている冷凍機稼働率との多寡を比較判定するものである。ここで、季節ごとの冷凍機稼働率は、夏季、冬季、春季、秋季に応じて設定することができる。また、稼働時間帯ごとの冷凍機稼働率は、例えば、営業時間である１０：００〜２１：００、営業していない夜間時間帯である２２：００〜８：００、営業準備・閉店準備時間帯である８：００〜１０：００、２１：００〜２２：００に分けて、時間帯ごとに設定することができる。
【００４８】
これによってきめ細かく制御を行って、省エネルギー制御を可能にしている。
【００４９】
なお、ショーケース２、冷蔵庫３、冷凍庫４の中のいずれに対して配備されている冷凍機であるかに応じて、季節ごと及び、稼働時間帯ごとにあらかじめ定められている冷凍機稼働率に替えて、ショーケース２、冷蔵庫３、冷凍庫４の中のいずれに対して配備されている冷凍機であるかに応じて、季節ごと、稼働時間帯ごと及び、当該ショーケース２、冷蔵庫３、冷凍庫４に収容されている商品の種類に応じてあらかじめ定められている冷凍機稼働率を用いるようにすれば、よりきめ細かな省エネルギー制御を行うことができる。
【００５０】
前記の稼働率判定（Ｓ４０３）において、冷凍機稼働率算出手段２２で算出した冷凍機稼働率が、あらかじめ定められている冷凍機稼働率よりも所定の値以上に大きな場合、温度判定手段２４が、前記平均電流値を算出した冷凍機８ａ、８ｂ、８ｃが配備されているショーケース２、冷蔵庫３、あるいは、冷凍庫４の中の温度が、あらかじめ定められている温度範囲内にあるかどうか、第一の温度感知手段５ａ、５ｂ、５ｃで検知されている温度を比較判定する処理を行う（Ｓ４０４）。
【００５１】
例えば、前記平均電流値を算出した冷凍機がショーケース２に配備されている冷凍機８ａであり、「冷凍機稼働率算出手段２２で算出した冷凍機８ａの冷凍機稼働率」÷「ショーケース２に配備されている冷凍機８ａについて、前記平均電流値を算出した季節、時間帯においてあらかじめ定められている冷凍機稼働率」が所定の数値範囲内にない場合、温度判定手段２４が、ショーケース２の中の温度が、前記平均電流値を算出した季節、時間帯においてあらかじめ定められている温度範囲内にあるかどうか、第一の温度感知手段５ａで検知されている温度を比較判定する処理を行う。
【００５２】
そして、温度判定手段２４での判定（Ｓ４０４）の結果、前記あらかじめ定められている温度範囲内でないと判定されたときに、電磁弁制御手段２５が、前記平均電流値を算出した冷凍機８ａ、８ｂ、８ｃが配備されているショーケース２、冷蔵庫３、あるいは、冷凍庫４に配備されている電磁弁６ａ、６ｂ、６ｃの開閉を開状態に制御し、冷凍機８ａ、８ｂ、８ｃからショーケース２、冷蔵庫３、あるいは、冷凍庫４への冷媒管７ａ、７ｂ、７ｃを介した冷媒液の送液を制御する（４０５）。
【００５３】
これによって、細かく制御を行って、省エネルギー制御を行うことができる。
【００５４】
ここでも、あらかじめ定められている温度範囲を、季節ごと及び、稼働時間帯ごとにあらかじめ定められている冷凍機稼働率に替えて、季節ごと、稼働時間帯ごと及び、当該ショーケース２、冷蔵庫３、冷凍庫４に収容されている商品の種類に応じてあらかじめ定められている温度範囲を用いるようにすれば、よりきめ細かな省エネルギー制御を行うことができる。
【００５５】
次に、図５を用いて、前述した図４図示のフローチャートによる省エネルギー制御に追加した本発明による省エネルギー制御方法を説明する。
【００５６】
ショーケース２が設置されている売り場９の温度及び湿度は、第二の温度検知手段１０及び、湿度検知手段１１によって検知されており、その情報は、常に、入力されている。
【００５７】
そこで、売り場エンタルピー算出手段２６が、第二の温度検知手段１０で検知された温度及び、湿度検知手段１１で検知された湿度に基づいてショーケース２が設置されている売り場９のエンタルピーを計算する（Ｓ５０２）。算出された売り場９のエンタルピーは、当該売り場９に設置されているショーケース２を特定する情報及び、エンタルピーを算出した時間に関連付けてデータベース３０に格納される。
【００５８】
次に、エンタルピー判定手段２７が、売り場エンタルピー算出手段２６で算出された売り場エンタルピーが季節ごと及び稼働時間帯ごとにあらかじめ定められている所定の設定エンタルピー範囲内にあるかどうかを判定する（Ｓ５０３）。
【００５９】
すなわち、ショーケース２が配置されている売り場９ごとに、前述したような季節ごと及び、稼働時間帯ごとにあらかじめ定められている売り場エンタルピーとの多寡を比較判定する。
【００６０】
ここで、エンタルピー判定手段２７での判定の結果、売り場エンタルピー算出手段２６で算出した売り場エンタルピーが前記所定の設定エンタルピーの範囲内でないと判定された場合、空調設備制御手段２８は、売り場エンタルピー算出手段２６で算出される売り場エンタルピーが前記所定の設定エンタルピー範囲内になるまで、ショーケース２が設置されている売り場９に配備されている空調設備１２の稼働状態を制御する（Ｓ５０４）。
【００６１】
これによって、ショーケース２に掛かる負荷を抑え、省エネルギー制御を行うことができる。
【００６２】
なお、売り場エンタルピー算出手段２６による売り場９のエンタルピー算出（Ｓ５０２）は、所定の時間間隔で行うようにすることができる。例えば、前述した平均電流値算出手段２１が平均電流値を算出し（Ｓ４０１）、冷凍機稼働率算出手段２２が冷凍機稼働率を算出し（Ｓ４０２）、稼働率判定手段２３が比較判定を行う（Ｓ４０３）３０分間に合わせて行うことができる。平均電流値算出手段２１が平均電流値を算出する３０分の間の中間で、売り場エンタルピー算出手段２６による売り場９のエンタルピー算出（Ｓ５０２）を行うようにすることができる。
【００６３】
また、前述した図４図示のフォローチャートによる省エネルギー制御にあたり、Ｓ４０１の工程で平均電流値を算出した冷凍機８ｂ、８ｃが配備されているものが冷蔵庫３又は冷凍庫４である時には、次のようにして、省エネルギー制御が行われるようにすることができる。
【００６４】
本発明のシステムにおいては、第三の温度検知手段１３が、冷蔵庫３及び冷凍庫４が配置されている環境雰囲気の温度を検知している。
【００６５】
そこで、稼働率判定手段２３が前記比較判定を行う際の、前記平均電流値を算出した冷凍機８ｂ、８ｃが配備されているものが冷蔵庫３又は冷凍庫４である時に、外気温度対応制御手段２９が、冷凍機稼働率算出手段２２で算出した冷凍機稼働率との比較判定に用いる前記あらかじめ定められている冷凍機稼働率を、第三の温度検知手段１３で検知した温度に対応させてあらかじめ定められている外気温対応冷凍機稼働率に変更する。
【００６６】
冷蔵庫３、冷凍庫４のいずれに対して配備されている冷凍機であるかに応じて、また、前述した季節ごと及び、稼働時間帯ごと、更には、収容している商品の種類ごとにあらかじめ定められている冷凍機稼働率を、冷蔵庫３、冷凍庫４のいずれに対して配備されている冷凍機であるかに応じて、季節ごと、稼働時間帯ごと及び、収容されている商品の種類に応じて、更に、冷蔵庫３、冷凍庫４が配置されている環境雰囲気の温度に応じてあらかじめ定められている冷凍機稼働率に変更する。
【００６７】
冷蔵庫３、冷凍庫４が配置されている環境雰囲気の温度に応じて、冷蔵庫３、冷凍庫４に配備されている冷凍機８ｂ、８ｃに掛かる負荷が変動する。
【００６８】
そこで、上述のように、比較判定に用いる、あらかじめ定められている冷凍機稼働率を、冷蔵庫３、冷凍庫４が配置されている環境雰囲気の温度を考量に入れて定められている冷凍機稼働率に変更することによって、よりきめ細かい省エネルギー制御を行うものである。
【００６９】
なお、この場合、外気温度対応制御手段２９は、第三の温度検知手段１３が検知した、冷蔵庫３及び冷凍庫４が配置されている環境雰囲気の温度が、あらかじめ定められている範囲内にあるかどうかを比較判定し、あらかじめ定められている範囲内にないと判断したときに、前述したように、比較判定に用いる冷凍機稼働率を冷蔵庫３、冷凍庫４が配置されている環境雰囲気の温度を考量に入れて定められている冷凍機稼働率に変更する処理を行うようにすることもできる。
【００７０】
このようにすれば、より一層きめ細かい省エネルギー制御を行うことができる。
【００７１】
以上、添付図面を参照して本発明の好ましい実施形態、実施例を説明したが、本発明は上述した実施形態、実施例に限定されるものではなく、特許請求の範囲の記載から把握される技術的範囲において種々に変更可能である。
【符号の簡単な説明】
【００７２】
１  ショーケース及び冷蔵・冷凍装置の省エネルギーシステム
５ａ、５ｂ、５ｃ  第一の温度検知手段
１０  第二の温度検知手段
１１  湿度検知手段
１３  第三の温度検知手段
２１  平均電流値算出手段
２２  冷凍機稼働率算出手段
２３  稼働率判定手段
２４  温度判定手段
２５  電磁弁制御手段
２６  売り場エンタルピー算出手段
２７  エンタルピー判定手段
２８  空調設備制御手段
２９  外気温度対応制御手段
【図１】
2013061459.tif 000003
【図２】
2013061459.tif 000004
【図３】
2013061459.tif 000005
【図４】
2013061459.tif 000006
【図５】
2013061459.tif 000007
【国際調査報告】
2013061459.tif 000008
2013061459.tif 000009
2013061459.tif 000010
2013061459.tif 000011